(57)【要約】  第１の解像度を持つマルチメディアデータが送信され、補助データが別個に送信される。第１の解像度を持つマルチメディアデータデータと組み合わせると、補助データは第１の解像度より高い第２の解像度のマルチメディアコンテンツを供給する。第１の解像度を持つマルチメディアデータが受信され、補助データは別個に受信される。第１の解像度を持つマルチメディアデータおよび補助データは組み合わされ、第１の解像度より高い第２の解像度のマルチメディアコンテンツを供給する。第１の解像度を持つマルチメディアデータは送信され、受信され、ストリーミングを使用して再生され、同時に補助データが送信され、受信され、ダウンローディングにより再生されることができる。ディジタル権利管理方式が第１の解像度を持つマルチメディアデータ、および／または補助データに適用されることができる。
2007528149.tif 000002
【特許請求の範囲】
【請求項１】
マルチメディア配信方法であって、
第１の解像度を持つマルチメディアデータの送信を行い、
第１の解像度を持つ前記マルチメディアデータと組み合わされると前記第１の解像度より高い第２の解像度のマルチメディアコンテンツを供給する補助データ、を別個に送信する
ことを特徴とするマルチメディア配信方法。
【請求項２】
請求項１に記載の方法であって、
マルチメディアデータの送信および補助データの別個の送信が送信時間、スペース、チャネルおよび／またはメディアにおいて少なくとも部分的に分離されていることを特徴とする方法。
【請求項３】
請求項１に記載の方法であって、
マルチメディアデータの送信が、第１の解像度を持つマルチメディアデータのストリーミングを含み、
別個の補助データの送信が補助データのダウンローディングを含み、前記補助データは、第１の解像度を持つ前記マルチメディアデータと組み合わされると、前記第１の解像度より高い第２の解像度の前記マルチメディアコンテンツを供給する、ことを特徴とする方法。
【請求項４】
請求項１に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数および／または前記第１のコーディングレートより高い第２のコーディングレイトをそれぞれ含むことを特徴とする方法。
【請求項５】
請求項１に記載の方法であって、前記補助データが第１のサイズを有し、前記第２の解像度の前記マルチメディアコンテンツが前記第１のサイズより大きい第２のサイズを有することを特徴とする方法。
【請求項６】
請求項１に記載の方法であって、
マルチメディアデータの送信が第１のディジタル権利管理方式に従い、補助データの別個の送信が前記第１のディジタル権利管理方式とは異なる第２のディジタル権利管理方式に従うことを特徴とする方法。
【請求項７】
請求項１に記載の方法であって、
補助データの別個の送信が、第１の解像度を持つ前記マルチメディアデータに対して受領される支払いより多い前記補助データに対する支払いの受領により先行されることを特徴とする方法。
【請求項８】
請求項１に記載の方法であって、
マルチメディアデータの送信がリアルあるいはリアルタイムに近く行われ、
補助データの別個の送信がリアルあるいはリアルタイムに近くでは行われないことを特徴とする方法。
【請求項９】
請求項１に記載の方法であって、
マルチメディアデータの送信が第１のマルチメディアサーバから行われ、
補助データの別個の送信が前記第１のマルチメディアサーバとは異なる第２のマルチメディアサーバから行われることを特徴とする方法。
【請求項１０】
請求項１に記載の方法であって、
マルチメディアデータの送信が無線ネットワークを使用して行われ、
補助データの別個の送信が有線ネットワークを使用して行われることを特徴とする方法。
【請求項１１】
マルチメディア作品の送信方法であって、
前記マルチメディア作品の第１の部分のストリーミングし、
前記第１および第２の部分が共に前記マルチメディア作品を含み、前記マルチメディア作品の前記第２の部分のダウンローディングを行う
ことを特徴とする方法。
【請求項１２】
請求項１１に記載の方法であって、
ストリーミングが第１の解像度のマルチメディアデータのストリーミングを含み、
ダウンローディングが補助データのダウンローディングを含み、前記補助データは、第１の解像度の前記マルチメディアデータと組み合わされると、前記第１の解像度より高い第２の解像度の前記マルチメディア作品を供給することを特徴とする方法。
【請求項１３】
請求項１１に記載の方法であって、ストリーミングとダウンローディングが送信時間、スペース、チャネルおよび／またはメディアにおいて少なくとも部分的に分離されていることを特徴とする方法。
【請求項１４】
請求項１２に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数、第１のチャネル数、および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とする方法。
【請求項１５】
請求項１１に記載の方法であって、
ストリーミングが第１のディジタル権利管理方式に従い、ダウンローディングが前記第１のディジタル権利管理方式とは異なる第２のディジタル権利管理方式に従うことを特徴とする方法。
【請求項１６】
請求項１１に記載の方法であって、
ダウンローディングが前記ストリーミングに対して受領される支払いより多い前記補助データに対する支払いの受領により先行されることを特徴とする方法。
【請求項１７】
請求項１１に記載の方法であって、
ストリーミングが第１のマルチメディアサーバから行われ、ダウンローディングが前記第１のマルチメディアサーバとは異なる第２のマルチメディアサーバから行われることを特徴とする方法。
【請求項１８】
請求項１１に記載の方法であって、
ストリーミングが無線ネットワークを使用して行われ、
ダウンローディングが有線ネットワークを使用して行われることを特徴とする方法。
【請求項１９】
マルチメディア再生方法であって、
第１の解像度を持つマルチメディアデータを受信し、
第１の解像度を持つ前記マルチメディアデータと組み合わせると前記第１の解像度より高い第２の解像度のマルチメディアコンテンツを供給する補助データを別個に受信し、
第１の解像度を持つ前記マルチメディアデータと前記補助データとを組み合わせて、前記第１の解像度より高い第２の解像度の前記マルチメディアコンテンツを供給し、
前記第１の解像度より高い第２の解像度の前記マルチメディアコンテンツを再生する
ことを特徴とするマルチメディア再生方法。
【請求項２０】
請求項１９に記載の方法であって、
更に、前記第１の解像度の前記マルチメディアデータを再生することを特徴とする方法。
【請求項２１】
請求項２０に記載の方法であって、
前記第１の解像度の前記マルチメディアデータの再生が、前記第１の解像度より高い前記第２の解像度の前記マルチメディアコンテンツの再生に先立って行われることを特徴とする方法。
【請求項２２】
請求項１９に記載の方法であって、
受信、別個の受信、組み合わせ、および再生が、単一のユーザデバイスにおいて行われることを特徴とする方法。
【請求項２３】
請求項１９に記載の方法であって、
マルチメディアデータの受信、補助データの別個の受信が、受信時間、発生スペース、受信チャネルおよび／または受信メディアにおいて少なくとも部分的に分離されていることを特徴とする方法。
【請求項２４】
請求項１９に記載の方法であって、
マルチメディアデータの受信が、第１の解像度を持つマルチメディアデータのストリーミングを含み、
補助データの別個の受信が補助データのダウンローディングを含み、前記補助データは、第１の解像度を持つ前記マルチメディアデータと組み合わされると前記第１の解像度より高い第２の解像度の前記マルチメディアコンテンツを供給することを特徴とする方法。
【請求項２５】
請求項１９に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、および／または前記第１のコーディングレートより高い第２のコーディングレートをそれぞれ含むことを特徴とする方法。
【請求項２６】
請求項１９に記載の方法であって、
前記補助データが第１のサイズを有し、前記第２の解像度の前記マルチメディアコンテンツが前記第１のサイズより大きい第２のサイズを有することを特徴とする方法。
【請求項２７】
請求項１９に記載の方法であって、
マルチメディアデータの受信が第１のディジタル権利管理方式に従い、補助データの別個の受信が前記第１のディジタル権利管理方式とは異なる第２のディジタル権利管理方式に従うことを特徴とする方法。
【請求項２８】
請求項１９に記載の方法であって、
補助データの別個の受信が第１の解像度を持つ前記マルチメディアデータに対して行われる支払いより多い前記補助データに対する支払いの実行により先行されることを特徴とする方法。
【請求項２９】
請求項１９に記載の方法であって、
マルチメディアデータの受信がリアルあるいはリアルタイムに近く行われ、補助データの別個の受信がリアルあるいはリアルタイムに近くでは行われないことを特徴とする方法。
【請求項３０】
請求項１９に記載の方法であって、
マルチメディアデータの受信が無線ネットワークを使用して行われ、
補助データの別個の受信が有線ネットワークを使用して行われることを特徴とする方法。
【請求項３１】
マルチメディア作品の再生方法であって、
前記マルチメディア作品の第１の部分をストリーミングし、
前記マルチメディア作品の第２の部分をダウンローディングし、
前記マルチメディア作品の前記第１および第２の部分を組み合わせて、前記マルチメディア作品を生成し、
生成される前記マルチメディア作品を再生する
ことを特徴とする再生方法。
【請求項３２】
請求項３１に記載の方法であって、
ストリーミングが、第１の解像度の前記マルチメディア作品のストリーミングを含み、
ダウンローディングが、補助データのダウンローディングを含み、前記補助データは、第１の解像度の前記マルチメディア作品と組み合わされると、前記第１の解像度より高い第２の解像度の前記マルチメディア作品を供給し、
前記組み合わせが、第１の解像度の前記マルチメディア作品と前記補助データを組み合わせて前記第２の解像度の前記マルチメディア作品を生成することを含み、
再生が、前記第２の解像度の前記マルチメディア作品の再生を含むことを特徴とする方法。
【請求項３３】
請求項３２に記載の方法であって、
更に、前記第１の解像度の前記マルチメディア作品を再生することを特徴とする方法。
【請求項３４】
請求項３３に記載の方法であって、
前記第１の解像度の前記マルチメディア作品の再生が、前記第１の解像度より高い前記第２の解像度の前記マルチメディア作品の再生に先立って行われることを特徴とする方法。
【請求項３５】
請求項３１に記載の方法であって、
ストリーミング、ダウンローディング、組み合わせ、および再生が、単一のユーザデバイスにおいて行われることを特徴とする方法。
【請求項３６】
請求項３１に記載の方法であって、
ストリーミングとダウンローディングが、受信時間、発生スペース、受信チャネル、および／または受信メディアにおいて少なくとも部分的に分離されていることを特徴とする方法。
【請求項３７】
請求項３２に記載の方法であって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、第１のチャネル数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とする方法。
【請求項３８】
請求項３１に記載の方法であって、
ストリーミングが第１のディジタル権利管理方式に従い、
ダウンローディングが前記第１のディジタル権利管理方式とは異なる第２のディジタル権利管理方式に従うことを特徴とする方法。
【請求項３９】
請求項３１に記載の方法であって、
ダウンローディングが、前記第１の部分に対して行われる支払いより多い前記第２の部分に対する支払いの実行により先行されることを特徴とする方法。
【請求項４０】
請求項３１に記載の方法であって、
ストリーミングが無線ネットワークを使用して行われ、
ダウンローディングが有線ネットワークを使用して行われることを特徴とする方法。
【請求項４１】
マルチメディア配信システムであって、
入力マルチメディアコンテンツに応答し、第１の解像度で前記入力マルチメディアコンテンツを符号化し、補助データを生成するように構成されるエンコーダであって、前記補助データは、第１の解像度で符号化される前記入力マルチメディアコンテンツと組み合わされると、前記第１の解像度より高い第２の解像度で符号化される前記入力マルチメディアコンテンツを供給するエンコーダと、
前記エンコーダに応答し、第１の解像度で符号化される前記入力マルチメディアコンテンツと前記補助データを別個に送信するように構成される送信機と
を備えることを特徴とするシステム。
【請求項４２】
請求項４１に記載のシステムであって、
前記送信機が、第１の解像度で符号化される前記入力マルチメディアコンテンツと、送信時間、スペース、チャネルおよび／またはメディアにおいて少なくとも部分的に分離されている前記補助データと、を別個に送信するように構成されていることを特徴とするシステム。
【請求項４３】
請求項４１に記載のシステムであって、
前記送信機が、第１の解像度で符号化される前記入力マルチメディアコンテンツをストリーミングし、前記補助データをダウンロードするようにさらに構成されていることを特徴とするシステム。
【請求項４４】
請求項４１に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数、および／または前記第１のコーディングレートより高い第２のコーディングレートをそれぞれ含むことを特徴とするシステム。
【請求項４５】
請求項４１に記載のシステムであって、
前記送信機が、第１のディジタル権利管理方式に従う、第１の解像度で符号化される前記入力マルチメディアコンテンツを送信し、前記第１のディジタル権利管理方式とは異なる第２のディジタル権利管理方式に従う前記補助データを別個に送信するように構成されていることを特徴とするシステム。
【請求項４６】
請求項４１に記載のシステムであって、
前記送信機が、第１の解像度で符号化される前記入力マルチメディアコンテンツに対して受領される支払いより多い前記補助データに対する支払いの受領に応じて、前記補助データを別個に送信するように構成されていることを特徴とするシステム。
【請求項４７】
請求項４１に記載のシステムであって、
前記送信機が、第１の解像度で符号化される前記入力マルチメディアコンテンツをリアルあるいはリアルタイムに近く送信し、前記補助データをリアルあるいはリアルタイムに近く以外で、別個に送信するように構成されていることを特徴とするシステム。
【請求項４８】
請求項４１に記載のシステムであって、
前記送信機が、
第１の解像度で符号化される前記入力マルチメディアコンテンツを送信するように構成されている第１のマルチメディアサーバと、
前記補助データを送信するように構成されている第２のマルチメディアサーバと
を備えることを特徴とするシステム。
【請求項４９】
マルチメディア作品を送信するシステムであって、
前記マルチメディア作品の第１の部分を送信するように構成されているストリーミングサーバと、
前記マルチメディア作品の第２の部分を送信するように構成されているダウンロードサーバであって、前記第１および第２の部分が前記マルチメディア作品を共に含む、ダウンロードサーバと
を備えることを特徴とするシステム。
【請求項５０】
請求項４９に記載のシステムであって、
前記ストリーミングサーバが、第１の解像度のマルチメディアデータをストリームするように構成されており、
前記ダウンロードサーバが、補助データをダウンロードするように構成されており、前記補助データは、第１の解像度の前記マルチメディアデータと組み合わされると、前記第１の解像度より高い第２の解像度の前記マルチメディア作品を供給することを特徴とするシステム。
【請求項５１】
請求項４９に記載のシステムであって、
前記ストリーミングサーバが、第１のディジタル権利管理方式に従う、前記マルチメディア作品の前記第１の部分を送信するように構成されており、
前記ダウンロードサーバが、前記第１のディジタル権利管理方式とは異なる第２のディジタル権利管理方式に従う、前記マルチメディア作品の前記第２の部分を送信するように構成されていることを特徴とするシステム。
【請求項５２】
請求項４９に記載のシステムであって、
前記ダウンロードサーバが、前記第１の部分に対して受領される支払いより多い前記第２の部分に対する支払いの受領に従う、前記マルチメディア作品の前記第２の部分を送信するように構成されていることを特徴とするシステム。
【請求項５３】
マルチメディア再生システムであって、
第１の解像度を持つマルチメディアデータを受信し、補助データを別個に受信するように構成されている受信機であって、前記補助データは、第１の解像度を持つ前記マルチメディアデータと組み合わされると、前記第１の解像度より高い第２の解像度のマルチメディアコンテンツを供給する受信機と、
第１の解像度を持つ前記マルチメディアデータと前記補助データを組み合わせて、前記第１の解像度より高い第２の解像度の前記マルチメディアコンテンツを供給するように構成されているプロセッサと、
前記第１の解像度より高い第２の解像度の前記マルチメディアコンテンツを再生するように構成されているマルチメディアトランスデューサと
を備えることを特徴とするシステム。
【請求項５４】
請求項５３に記載のシステムであって、
前記マルチメディアトランスデューサが、第１の解像度を持つ前記マルチメディアデータを再生するようにさらに構成されていることを特徴とするシステム。
【請求項５５】
請求項５３に記載のシステムであって、
前記補助データが、受信時間、発生スペース、受信チャネルおよび／または受信メディアにおいて、第１の解像度を持つ前記マルチメディアデータから少なくとも部分的に分離されていることを特徴とするシステム。
【請求項５６】
請求項５３に記載のシステムであって、
前記受信機が、第１の解像度を持つ前記マルチメディアデータをストリーミングし、前記補助データをダウンロードするようにさらに構成されていることを特徴とするシステム。
【請求項５７】
請求項５３に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数、および／または前記第１のコーディングレートより高い第２のコーディングレートをそれぞれ含むことを特徴とするシステム。
【請求項５８】
請求項５３に記載のシステムであって、
前記送信機が、第１のディジタル権利管理方式に従う、第１の解像度を持つ前記マルチメディアデータを受信し、前記第１のディジタル権利管理方式とは異なる第２のディジタル権利管理方式に従う、前記補助データを別個に受信するようにさらに構成されていることを特徴とするシステム。
【請求項５９】
請求項５３に記載のシステムであって、
第１の解像度を持つ前記マルチメディアデータに対して行われる支払いより多い前記補助データに対する支払いの実行に従う、前記補助データを別個に受信するように構成されていることを特徴とするシステム。
【請求項６０】
マルチメディア作品の再生システムであって、
前記マルチメディア作品の第１の部分をストリームし、前記マルチメディア作品の第２の部分をダウンロードするように構成されている受信機と、
前記マルチメディア作品の第１と第２の部分とを組み合わせ、前記マルチメディア作品を生成するように構成されているプロセッサと、
生成される前記マルチメディア作品を再生するように構成されているマルチメディアトランスデューサと
を備えることを特徴とするシステム。
【請求項６１】
請求項６０に記載のシステムであって、
前記受信機が、第１の解像度の前記マルチメディア作品をストリームし、補助データとして前記第２の部分をダウンロードするように構成されており、前記補助データは、前記第１の部分と組み合わされると、前記第１の解像度より高い第２の解像度の前記マルチメディア作品を供給し、
前記プロセッサが、第１の解像度の前記マルチメディア作品と前記補助データを組み合わせ、前記第２の解像度の前記マルチメディア作品を生成するように構成されており、
前記マルチメディアトランスデューサが、前記第２の解像度の前記マルチメディア作品を再生するように構成されていることを特徴とするシステム。
【請求項６２】
請求項６１に記載のシステムであって、
前記マルチメディアトランスデューサが、前記第１の解像度の前記マルチメディア作品を再生するように構成されていることを特徴とするシステム。
【請求項６３】
請求項６２に記載のシステムであって、
前記マルチメディアトランスデューサが、前記第１の解像度より高い前記第２の解像度の前記マルチメディア作品の再生に先立って、前記第１の解像度の前記マルチメディア作品を再生するようにさらに構成されていることを特徴とするシステム。
【請求項６４】
請求項６０に記載のシステムであって、
前記マルチメディア作品の前記第１および第２の部分が、受信時間、発生スペース、受信チャネル、および／または受信メディアにおいて少なくとも部分的に分離されていることを特徴とするシステム。
【請求項６５】
請求項６１に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とするシステム。
【請求項６６】
請求項６０に記載のシステムであって、
前記受信機が、第１のディジタル権利管理方式に従う前記第１の部分をストリームするように構成されており、
前記受信機が、前記第１のディジタル権利管理方式とは異なる第２のディジタル権利管理方式に従う前記第２の部分をダウンロードするように構成されていることを特徴とするシステム。
【請求項６７】
請求項６０に記載のシステムであって、
前記受信機が、前記第１の部分に対して行われる支払いより多い前記第２の部分に対する支払いに従う前記第２の部分をダウンロードするように構成されていることを特徴とするシステム。
【発明の詳細な説明】
【技術分野】
【０００１】
本発明は通信システムおよび方法に関し、さらに詳細にはマルチメディアコンテンツの配信及び／又は再生のためのシステムおよび方法に関する。
【背景技術】
【０００２】
インターネットやセル方式ネットワークなどの大規模有線および無線通信ネットワークの出現と共に、これらのネットワークを介するマルチメディアコンテンツの配信が増加する可能性がある。本明細書で使用するように、用語「マルチメディア」コンテンツはアナログあるいはディジタルオーディオ、アナログあるいはディジタルイメージおよび／またはアナログあるいはディジタルビデオコンテンツを含む。
【０００３】
ネットワークを介するマルチメディアの配信には一般に２つの技術：ストリーミングとダウンローディングある。ストリーミングでは、マルチメディアコンテンツはユーザに連続するストリームで送信され、到着すると再生される。対照的に、ダウンローディングはデータをコンピュータファイルとして送信し、コンピュータファイルは次いでユーザデバイスに格納され、全ファイルがダウンロードされた後に記録再生される。しばしばストリーミングは、ストリーミングマルチメディアコンテンツが送信されるネットワークに潜在する帯域幅の制限により解像度に制限があることもある。しかしながらリアルタイムまたはリアルタイムに近い記録再生を供給することができる。ダウンロードされたマルチメディアコンテンツは、解像度は高いが、ファイルがダウンロードされる間に長い記録再生遅延時間が存在する可能性がある。
【発明の開示】
【発明が解決しようとする課題】
【０００４】
本発明の幾つかの実施形態は、第１の解像度を持つマルチメディアデータが送信され、補助データが分離して送信される、マルチメディア配信方法を供給する。幾つかの実施形態では、分離して送信される補助データは、第１の解像度を持つマルチメディアデータから送信時間、スペース、チャネルおよび／またはメディアにおいて少なくとも部分的に分離される。第１の解像度を持つマルチメディアデータと組み合わされると、補助データは第１の解像度より高い第２の解像度のマルチメディアコンテンツを供給する。
【０００５】
本発明の幾つかの実施形態によるマルチメディア再生方法では、第１の解像度を持つマルチメディアデータを受信し、第１の解像度でマルチメディアデータを再生することができる。補助データもまた分離して受信される。第１の解像度を持つマルチメディアデータと補助データが組み合わされて、第１の解像度より高い第２の解像度のマルチメディアコンテンツを供給する。第２の解像度のマルチメディアコンテンツも同様に再生されることができる。
【０００６】
本発明の幾つかの実施形態は、例えばストリーミングを使用して第１の解像度を持つマルチメディアデータが送信、受信および再生されることを許容することができる。補助データは例えばダウンローディングにより送信されることができ、第１の解像度を持つマルチメディアデータと組み合わされて第１の解像度より高い第２の解像度のマルチメディアコンテンツを供給する。
【０００７】
第１の解像度を持つマルチメディアデータと補助データを分離して送信する多くの技術は、本発明の種々の実施形態により供給されることができる。特に本発明の幾つかの実施形態では、第１の解像度を持つマルチメディアデータと補助データは、分離したおよび／または少なくとも部分的に重複する時間間隔の間に送信されることができる。幾つかの実施形態では、第１の解像度を持つマルチメディアデータはリアルタイムあるいはリアルタイムに近く送信されることができ、補助データはリアルタイムあるいはリアルタイムに近くでは送信されない。幾つかの実施形態では、第１の解像度を持つマルチメディアデータと補助データは異なるメディアサーバから送信される。しかしながら他の実施形態では、同じサーバが使用されても良い。同様に幾つかの実施形態では、第１の解像度を持つマルチメディアデータと補助データは異なるネットワーク、搬送周波数、タイムスロットおよび／または拡散符号などの異なる送信チャネルを使用して送信されることができる。しかしながら他の実施形態では、同じチャネルが使用されても良い。さらに他の実施形態では、第１の解像度を持つマルチメディアデータおよび／または補助データは、磁気的および／または光ディスクおよび／または固体メモリモジュールなどの独立の物理的メディアを使用して送信されることができる。しかしながら他の実施形態では、同じメディアが使用されても良い。さらに幾つかの実施形態では、第１の解像度を持つマルチメディアコンテンツは第１のディジタル権利管理方式に従うことができ、補助データは第１のディジタル権利管理方式とは異なる第２のディジタル権利管理方式に従うことができる。
【０００８】
本明細書において使用されるように、第１の解像度および第１の解像度より高い第２の解像度は、サンプリング周波数、圧縮率、周波数レンジ、ビット数、歪レベル、ピクセル数、フレームレート、カラー数、コーディングレート、チャネル数および／または他のパラメータによって定義されることができることは当業者により理解されるであろう。解像度の差は、再生されるマルチメディアコンテンツの品質の差を一般に規定する。本発明の実施形態は、以上で主としてマルチメディア配信方法およびマルチメディア再生方法に関して記述されたこともまた理解されるであろう。しかしながらマルチメディア配信システムおよびマルチメディア再生システムもまた本発明の種々の実施形態により供給されることができる。
【０００９】
次に本発明の実施形態が示される添付の図面を参照して、以下本発明がさらに完全に記述される。しかしながらこの発明は多くの代替形式において実施されることができ、本明細書に示される実施形態に制限されると解釈されるべきではない。
【００１０】
従って本発明は種々の変更および代替形式に影響されるが、その特定の実施形態は図面における実施例により示され、本明細書において詳細に記述される。しかしながら開示された特定の形式に本発明を制限する考えはなく、反対に本発明は、特許請求の範囲により定義されるように本発明の精神と範囲内に入る全ての変更、等価なものおよび代替物をカバーするものと解釈されるべきである。同じ番号は図の記述を通して同じエレメントを参照する。
【発明を実施するための最良の形態】
【００１１】
本発明の実施形態による方法、装置（システム）および／またはコンピュータプログラム製品のブロック図および／またはフローチャートを参照して、本発明が以下に記述される。ブロック図および／またはフローチャートの説明のブロック、およびブロック図および／またはフローチャートの説明におけるブロックの結合は、コンピュータプログラム命令により実装されることができることが理解される。これらのコンピュータプログラム命令は汎用コンピュータ、専用目的コンピュータ、および／または機械を製造するプログラム可能な他のデータ処理装置のプロセッサに供給されることができ、コンピュータおよび／または他のプログラム可能なデータ処理装置のプロセッサにより実行する命令が、ブロック図および／またはフローチャートのブロックあるいは複数のブロックにおいて指定される機能／動作を実装する手段を創出するようにする。
【００１２】
これらのコンピュータプログラム命令はまたコンピュータが読み取り可能なメモリに格納されることができ、これら命令はコンピュータあるいは他のプログラム可能なデータ処理装置に特定の方法で機能することを指示し、コンピュータが読み取り可能なメモリに格納された命令がブロック図および／またはフローチャートのブロックあるいは複数のブロックにおいて指定される機能／動作を実装する命令を含む製造品目を生成するようにする。
【００１３】
コンピュータプログラム命令はまた、コンピュータあるいは他のプログラム可能なデータ処理装置にロードされることができ、一連の動作ステップをコンピュータあるいは他のプログラム可能な装置上で実行されるようにし、コンピュータにより実装されるプロセスを生成し、コンピュータあるいは他のプログラム可能な装置上で実行する命令がブロック図および／またはフローチャートのブロックあるいは複数のブロックにおいて指定される機能／動作を実装するステップを提供する。
【００１４】
当業者により理解されるように、本発明は方法、データ処理システムおよび／またはコンピュータプログラム製品として実施されることができる。従って本発明は完全なハードウエアによる実施形態、完全なソフトウエアによる実施形態あるいはソフトウエアおよびハードウエアの側面を結合する実施形態の形式をとることができ、これらは纏めて本明細書では「回路」あるいは「モジュール」と呼ばれることができる。
【００１５】
幾つかの代替実装では、ブロックに記された機能／動作はフローチャートに記された順序外で生じることができることも注記されるべきである。例えば、連続して示される２つのブロックは実際実質的に同時に実行されることができ、あるいはブロックは時に関係する機能／動作に応じて逆の順序で実行されることができる。
【００１６】
図１は本発明の種々の実施形態によるマルチメディア配信システムおよび／またはマルチメディア配信方法のブロック図である。図１に示すように、これらマルチメディア配信システムおよび／またはマルチメディア配信方法１００は、入力マルチメディアコンテンツ１２０に応答するエンコーダ１１０を含む。入力マルチメディアコンテンツ１２０はアナログおよび／またはディジタル信号を含む、種々の形式を取ることができる。さらにエンコーダは、アナログ対ディジタルコネクタ、ディジタル対ディジタルコンバータ、コーダ、トランスコーダ、コンプレッサ、ソータ、分析器および／または他の従来のコンポーネントを含むことができる。エンコーダ１１０は入力マルチメディアコンテンツ１２０を第１の解像度で符号化するように構成され、本明細書ではまた低解像度マルチメディアデータ１３０とも呼ばれる、第１の解像度の符号化マルチメディアコンテンツを供給する。エンコーダ１１０はまた、補助データ１４０を独立に生成するように構成され、補助データは低解像度マルチメディアデータ１３０と組み合わされると、第１の解像度より高い第２の解像度の入力マルチメディアコンテンツを供給する。本明細書で使用されるように、用語「組み合わされる」は、低解像度マルチメディア／データおよび補助データが共に使用されて高解像度マルチメディアコンテンツを生成し、低解像度コンテンツを高解像度コンテンツにより単に置き換えることではないことを意味することが理解されるであろう。さらに本発明の実施形態によれば、複数の補助データが供給されることができ、種々の解像度レベルを供給する。
【００１７】
幾つかの実施形態では、「分離して」は時間、スペース、（搬送あるいはサブ搬送周波数、タイムスロットおよび／または拡散符号を含む）チャネルおよび／またはメディアにおいて少なくとも部分的に分離されることを指す。幾つかの実施形態では、第１の解像度は第１のサンプリング周波数、第１の圧縮率、第１の周波数レンジ、第１の解像度ビット数、第１の歪レベル、第１のピクセル数、第１のフレームレート、第１のカラー数、第１のチャネル数および／または第１のコーディングレートを含む。第２の解像度は第１のサンプリング周波数より高い第２のサンプリング周波数、第１の圧縮率より低い第２の圧縮率、第１の周波数レンジより広い第２の周波数レンジ、第１の解像度ビット数より多い第２の解像度ビット数、第１の歪レベルより低い第２の歪レベル、第１のピクセル数より多い第２のピクセル数、第１のフレームレートより高い第２のフレームレート、第１のカラー数より多い第２のカラー数、第１のチャネル数より多い第２のチャネル数および／または第１のコーディングレートより高い第２のコーディングレートをそれぞれ含む。本発明の幾つかの実施形態では、図２に関して記述されるように、低解像度マルチメディアデータ１３０および補助データ１４０が送信機により分離して送信されれば、両データはエンコーダ１１０により分離して生成される必要はないことも理解されるであろう。
【００１８】
図２は本発明の他の実施形態による他のマルチメディア配信システムおよび／またはマルチメディア配信方法のブロック図である。図２に示されように、これらシステムおよび／または方法はエンコーダ１１０に応答する送信機２１０をさらに含む。送信機２１０は低解像度マルチメディアデータ２２０および補助データ２３０を分離して送信するように構成される。上記のごとく、低解像度マルチメディアデータ１３０および補助データ１４０はエンコーダ１１０により分離して、あるいはエンコーダ１１０により共に生成されることができるが、送信機２１０により分離して送信される。幾つかの実施形態では、低解像度マルチメディアデータ２２０は低解像度マルチメディアデータ２２０をストリームすることにより送信され、補助データ２３０は補助データをダウンロードすることにより送信される。しかしながら他の実施形態では、低解像度マルチメディアデータ２２０および補助データ２３０は共にダウンロードおよび／またはストリームされることができる。
【００１９】
用語「送信機」は本明細書では無線、有線および／または物理的メディアの配信を含む２つの独立したデバイスの間のマルチメディアデータの送信システムおよび／または送信方法を一般的に参照するために使用されることはまた、当業者であれば理解されるであろう。幾つかの実施形態では、低解像度マルチメディアデータ２２０および補助データ２３０は、同じマルチメディアサーバおよび送信チャネルを使用して送信されるが、時に分離して送信される。しかしながら他の実施形態では、異なるマルチメディアサーバおよび／または送信チャネルが同時あるいは重複する送信に使用されることができる。従って例えば幾つかの実施形態では、低解像度マルチメディアデータ２２０は有線および／または無線ネットワークを介してストリーミングサーバからストリームされ、一方補助データは有線および／または無線ネットワークを介してダウンロードサーバからダウンロードされる。さらに他の実施形態では、低解像度マルチメディアデータ２２０はストリーミングにより送信されることができ、補助データ２３０は磁気的、光および／または固体不揮発メモリデバイスなどの物理的メディアで送信されることができる。さらに他の実施形態では、低解像度マルチメディアデータ２２０はリアルタイムあるいはリアルタイムに近く送信され、補助データ２３０はリアルタイムあるいはリアルタイムに近くでは送信されない。しかしながら他の実施形態では、符号化マルチメディアデータ２２０および補助データ２３０の分離した送信は重複する時間間隔あるいは重複しない時間間隔で同時に行われることができる。幾つかの実施形態では、低解像度マルチメディアデータ２２０は補助データ２３０に先立って送信される。しかしながら他の実施形態では、補助データ２３０は低解像度マルチメディアデータ２２０と共にあるいは低解像度マルチメディアデータ２２０に先立って送信されることができる。
【００２０】
図３は本発明の種々の実施形態によるマルチメディアの再生システムおよび／または再生方法のブロック図である。本明細書で使用されるように、用語「再生」はオーディオ再生および／またはビデオ表示を含む。図３に示されるようにさらに詳細には、これらマルチメディアの再生システムおよび／または再生方法３００は、低解像度マルチメディアデータ２２０および補助データ２３０を分離して受信するように構成される、受信機３１０を含む。プロセッサ３２０は、低解像度マルチメディアデータ２２０および補助データ２３０を組み合わせるように構成され、高解像度マルチメディアコンテンツ３３０とも呼ばれる、第１の解像度より高い第２の解像度のマルチメディアコンテンツを供給する。プロセッサ３２０は汎用ハードウエア、特定目的および／またはソフトウエアにより実施されることができ、１または複数のディジタル信号プロセッサ（Ｄｉｇｉｔａｌ  Ｓｉｇｎａｌ  Ｐｒｏｃｅｓｓｏｒ、ＤＳＰ）および／またはコーダ／デコーダ（ＣＯＤＥＣ）を含むことができる、ということが当業者により理解されるであろう。１または複数のディスプレイおよび／または１または複数の拡声器を含むことができるマルチメディアトランスデューサ３４０は第１の解像度より高い第２の解像度のマルチメディアコンテンツを記録再生するように構成される。トランスデューサ３４０はまたプロセッサを含むおよび／またはプロセッサ３２０と機能的に結合されることができる。
【００２１】
図４は本発明の他の実施形態によるマルチメディアの再生システムおよび／または再生方法のブロック図である。図４に示されるように、これらシステムおよび／または方法４００は図３と関連して上記のように受信機３１０、プロセッサ３２０、およびトランスデューサ３４０を含む。図４で説明される本発明の実施形態では、低解像度マルチメディアコンテンツ４２０および高解像度マルチメディアコンテンツ３３０の両方はスイッチ４１０を使用してマルチメディアトランスデューサ３４０による再生に利用可能である。従ってマルチメディアトランスデューサ３４０は低解像度マルチメディアコンテンツ４２０あるいは高解像度マルチメディアコンテンツ３３０を再生するように構成される。スイッチ４１０はハードウエアおよび／またはソフトウエアを使用して実施されることができることは、当業者により理解されるであろう。
【００２２】
幾つかの実施形態では、スイッチ４１０はユーザ制御の下に制御されることができる。しかしながら以下に記述されるように本発明の他の実施形態では、ディジタル権利管理システムおよび／またはディジタル権利管理方法はまた、スイッチ４１０を制御するのに少なくとも部分的に使用されることができる。従って本発明の幾つかの実施形態では、低解像度マルチメディアデータ４２０は第１のディジタル権利管理方式に従うことができ、高解像度マルチメディアコンテンツ３３０は第１のディジタル権利管理方式とは異なる第２のディジタル権利管理方式に従うことができる。幾つかの実施形態では、第１のディジタル権利管理方式は第１の解像度のオーディオおよび／またはビデオの無料（使用料なく）ストリーミングを認めることができるが、補助データは規定された使用料の支払いの上でダウンロードされることのみを認めることができる。従ってユーザは、高解像度マルチメディアコンテンツを再生するためには使用料あるいは追加使用料を支払えばよい。
【００２３】
図５は本発明のさらに他の実施形態によるマルチメディアの配信システムおよび／または配信方法のブロック図である。図５に示されるように、これらシステムおよび／または方法５００は、マルチメディア作品５２０に応答するエンコーダ５１０を含む。エンコーダ５１０は、マルチメディア作品５２０の第１の部分５３０およびマルチメディア作品５２０の第２の部分５４０を生成するように構成され、いずれの部分もマルチメディア作品全体を含まない。換言すれば、第１および第２の部分は共にマルチメディア作品を含む。送信機５５０はマルチメディア作品の第１の部分をストリームし、マルチメディア作品の第２の部分をダウンロードするように構成され、ストリーム５６０およびダウンロード５７０をそれぞれ実現する。送信機５５０は１または複数のストリーミングサーバおよび１または複数のダウンロードサーバを含むことができる。幾つかの実施形態では、第１の部分５３０は図１、図２の低解像度マルチメディアデータ１３０に対応し、第２の部分５４０は図１、図２の補助データ１４０に対応することができる。
【００２４】
図６は本発明の幾つかの実施形態によるマルチメディアコンテンツの再生システムおよび／または再生方法のブロック図である。図６に示されるように、受信ストリーム５６０はバッファ６１０にバッファされることができ、バッファストリーム６２０はストリーミングマルチメディアの再生のために再生器６３０に供給されることができる。ダウンロードデータ５７０は不揮発格納器６４０に格納され、記録再生システム６５０に供給されるストリームデータ６２０と組み合わされることができる。幾つかの実施形態では、再生器６３０および記録再生システム６５０は少なくとも１つのコンポーネントを共有することができる。他の実施形態では、再生器および記録再生システムはコンポーネントを共有することができない。
【００２５】
図７は本発明の種々の実施形態によるマルチメディアデータの送信および／または再生のシステムおよび／または方法のブロック図である。図７は種々の送信および再生システムが、インターネットおよび／またはセル方式ネットワークを含む、有線および／または無線、公衆および／または私設ネットワークである、１または複数のネットワーク７１０を介して接続される様子を概念的に説明する。マルチメディアコンテンツを配信するために、エンコーダ１１０は、例えば以上の図１および／または図２に関して記述されたように、入力マルチメディアコンテンツ１２０に応答することができ、低解像度マルチメディアデータ１３０および補助データ１４０を生成する。送信機２１０は、例えば図１および／または図２に関してまた記述されたように、低解像度マルチメディアデータ１３０および補助データ１４０に応答し、ネットワーク７１０を介して低解像度マルチメディアデータ２２０および補助データ２３０を分離して送信する。また図７に示されるように他の実施形態では、送信機は２つの部分、７２０ａおよび７２０ｂにおいて用意され、第１の部分７２０ａは低解像度マルチメディアデータ２２０を送信し、第２の部分７２０ｂは補助データ２３０を送信する。例えば幾つかの実施形態では、符号化低解像度マルチメディアデータ１３０はストリーミングマルチメディアとして送信されることができ、第１の送信機７２０ａはストリーミングサーバとして実施されることができる。補助データはダウンロードとして送信されることができ、第２の送信機７２０ｂはダウンロードサーバとして実施されることができる。
【００２６】
さらに図７を参照すると、受信終端部において単一の受信機３１０は、低解像度マルチメディアデータ２２０および補助データ２３０の両方を受信することができ、例えば上の図３および／または図４において記述されたように、低解像度マルチメディアコンテンツおよび／または高解像度マルチメディアコンテンツの再生を許容することができる。他の受信機７４０は、低解像度マルチメディアデータ２２０のみを受信するように構成されることができ、プロセッサ７４２によりこのデータを処理し、トランスデューサ７４４によりこのデータを再生する。さらに他の実施形態には２つの部分７５２ａ、７５２ｂにおいて構成される受信機が含まれることができ、そのうちの１つは補助データ２３０を受信し、他方は低解像度マルチメディアデータ２２０を受信する。プロセッサ３２０およびトランスデューサ３４０は上記のごとく用意されることができる。
【００２７】
図８は本発明の他の実施形態によるマルチメディアの配信および記録再生方法およびシステムのブロック図である。これらの実施形態において、エンコーダ１１０は上図において記述されたように使用されることができ、低解像度マルチメディアデータ２２０および補助データ２３０は、１または複数のセル方式および／または衛星基地局８１０として実施されることができる無線送信機から分離して送信される。分離した送信は独立の時間、チャネル、タイムスロット、拡散符号などを使用することができる。幾つかのユーザデバイス８２０は、符号化低解像度マルチメディアデータ２２０および補助データ２３０の両方を受信するように構成されることができ、例えば第１の解像度のマルチメディアコンテンツのリアルタイムあるいはリアルタイムに近い記録再生、および第２解像度のマルチメディアコンテンツの時間遅れ記録再生を許す。他のユーザデバイス８３０は低解像度マルチメディアデータ２２０のみを受信するように構成されることができる。
【００２８】
幾つかの実施形態では、ユーザデバイス８２０／８３０は受信することのできるコンテンツを管理するディジタル権利管理システムを含むことができる。他の実施形態では、送信機８１０は電話番号、ＩＰアドレスおよび／またはユーザデバイス８２０あるいは８３０の他の識別子に基づいて、データストリームを分離して送信することができる。無線ユーザデバイス８２０あるいは８３０がマルチメディア再生器、セル方式および／または衛星無線電話機、セル方式電話機をデータ処理、ファクシミリおよび／またはデータ通信可能装置、無線周波数トランシーバおよびページャ、インターネット／イントラネットアクセス、ウエブブラウザ、オーガナイザ、カレンダおよび／またはグローバルポジショニングシステム（ｇｌｏｂａｌ  ｐｏｓｉｔｉｏｎｉｎｇ  ｓｙｓｔｅｍ、ＧＰＳ）の受信機を含むことができるパーソナルディジタルアシスタント（Ｐｅｒｓｏｎａｌ  Ｄｉｇｉｔａｌ  Ａｓｓｉｓｔａｎｔｓ、ＰＤＡ）と組み合わせることができるパーソナル通信システム（Ｐｅｒｓｏｎａｌ  Ｃｏｍｍｕｎｉｃａｔｉｏｎ  Ｓｙｓｔｅｍ、ＰＣＳ）の端末、および／または無線周波数受信機を含む従来のラップトップおよび／またはパームトップコンピュータあるいは他の装置として実施されることができることは、当業者により理解されるであろう。
【００２９】
図９は本発明の他の実施形態による他のマルチメディアの配信および再生システムおよび方法のブロック図である。これらの実施形態において、エンコーダ１１０および送信機９１０が用意される。低解像度マルチメディアデータ２２０は無線送信機９１２を使用して無線ユーザデバイス９４０に無線で送信され、幾つかの実施形態ではストリーミングマルチメディアが無線ユーザデバイス９４０に供給されることができる。補助データ２３０は、有線ネットワーク９５０を介してホームメディアサーバなどの有線受信機９２０に送信される。プロセッサ９３０は符号化低解像度マルチメディアデータ２２０および補助データ２３０を組み合わせ、トランスデューサ３４０において記録再生するために高解像度マルチメディアコンテンツ３３０を生成する。幾つかの実施形態では例えばその間の有線および／または無線送信を使用して、低解像度マルチメディアデータ２２０が無線ユーザデバイス９４０からプロセッサ９３０に供給されることができることは理解される。他の実施形態では、低解像度データはまた、ネットワーク９５０を介して供給されることができる。従って図９の実施形態では、低解像度マルチメディアコンテンツは、無線ユーザデバイス９４０において再生されることができ、一方高解像度マルチメディアコンテンツは有線ユーザデバイス９６０において再生されることができる。
【００３０】
図１から図９のブロック図の組み合わせおよびサブ組み合わせは、特許請求の範囲により定義されるように本発明の種々の実施形態により用意されることは当業者であれば理解されるであろう。
【００３１】
図１０から図１６は本発明の種々の実施形態によるマルチメディア配信および／またはマルチメディア再生のために実行される動作のフローチャートである。これらの実施形態は例えば図１から図９のブロック図を使用して実行されることができる。
【００３２】
図１０を参照して、本発明の幾つかの実施形態によるマルチメディアの配信動作が説明される。図１０に示されるようにブロック１０１０において、第１の解像度を持つマルチメディアデータが送信される。ブロック１０２０では、第１の解像度を持つマルチメディアデータと組み合わされると、第１の解像度より高い第２の解像度のマルチメディアコンテンツを供給する補助データは、分離して送信される。幾つかの実施形態では、ブロック１０１０の動作がブロック１０２０の動作に先立って行われることは理解される。他の実施形態では、ブロック１０２０の動作は、少なくとも一部がブロック１０１０の動作に先立って行われることができる。他の実施形態では、ブロック１０１０および１０２０の動作は時間において少なくとも一部重複することがありうる。
【００３３】
図１１は本発明の他の実施形態によるマルチメディアの配信のために実行される処理のフローチャートであり、ディジタル権利管理標準がブロック１０１０および１０２０の動作の制御に使用される。特に、ブロック１０１０のマルチメディアデータの送信は、ブロック１１１０における第１のディジタル権利管理（Ｄｉｇｉｔａｌ  Ｒｉｇｈｔｓ  Ｍａｎａｇｅｍｅｎｔ、ＤＲＭ）方式に従う。本発明の幾つかの実施形態では、第１の支払いは、第１の解像度を持つマルチメディアコンテンツの送信に先立って受領されることができる。他の実施形態では、第１の解像度のＤＲＭは低解像度マルチメディアコンテンツの無料送信を認めることができる。
【００３４】
さらに図１１を参照すると、ブロック１０２０における補助データの送信は、ブロック１１１０の第１のＤＲＭ方式とは異なるブロック１１２０における第２のＤＲＭ方式に従う。従って幾つかの実施形態では、支払いあるいは第２の支払いは、補助データの送信に先立って得られることができる。ブロック１１１０および１１２０の動作が示される順序外で行われることができ、事実、独立のソース、チャネル、メディアなどを使用して同時に行われることができるということは、当業者により理解されるであろう。従って、低（第１の）解像度マルチメディアコンテンツは、第１のＤＲＭ方式に基づいて得られることができ、一方より高い解像度のコンテンツは第２のＤＲＭ方式に基づいて得られることができる。
【００３５】
図１２は本発明の他の実施形態によるマルチメディアコンテンツを配信するために行われる処理のフローチャートである。図１２を参照すると、ブロック１２１０では、マルチメディア作品がマルチメディア作品の第１の部分のストリーミングにより送信される。ブロック１２２０では、マルチメディア作品の第２の部分がダウンロードされる。ブロック１２１０および１２２０の動作が逆の順序で生じることができ、時間において少なくとも一部重複することがありうることは当業者には理解されるであろう。さらに幾つかの実施形態では、ブロック１２１０の動作は、ブロック１０１０で記述したように第１の解像度を持つマルチメディアデータを送信することができ、ブロック１２２０の動作はブロック１０２０で記述されるように補助データを送信することができる。
【００３６】
図１３はＤＲＭが使用されることを許す、マルチメディアデータの配信のための処理のフローチャートである。従って図１３で、ＤＲＭのストリーミングがブロック１３１０において承認されると、ブロック１２１０の動作が行われることができる。ＤＲＭが失敗すると、これらの動作は行われない。さらにＤＲＭのダウンロードがブロック１３２０において承認されると、ブロック１２２０の動作が行われる。ＤＲＭが失敗すると、これらの動作は行われない。従って異なるＤＲＭシステムがストリーミングおよびダウンローディングに使用されることができる。ブロック１１１０、ブロック１１２０、ブロック１３１０および／またはブロック１３２０の動作は、使用される特定のＤＲＭシステムに基づいて、本発明の種々の実施形態のエンコーダ、送信機、ユーザデバイスおよび／または他のＤＲＭデバイスにおいて実行されることができることが理解される。
【００３７】
図１４は本発明の種々の実施形態によるマルチメディアの再生のために実行される処理のフローチャートである。ブロック１４１０に示されるように、第１の解像度を持つマルチメディアデータが受信される。ブロック１４２０では、補助データが分離して受信される。ブロック１４１０およびブロック１４２０の動作は示される順序外で行われることができ、および／または時間において少なくとも一部重複することがありうる、ということが理解される。ブロック１４３０では、第１の解像度を持つマルチメディアデータおよび補助データが組み合わされ、第１の解像度より高い第２の解像度のマルチメディアコンテンツを供給する。最後にブロック１４４０で、第２の解像度のマルチメディアコンテンツが再生される。
【００３８】
図１５は本発明の他の実施形態によるマルチメディアの再生のための処理のフローチャートである。図１５の動作は図１４の動作と、ブロック１４１０で第１の解像度を持つマルチメディアデータの受信後、ブロック１５１０でマルチメディアデータが第１の解像度で再生される点が異なる。ブロック１４２０、ブロック１４３０およびブロック１５２０の動作もまた行われることができ、第１の解像度より高い第２の解像度のマルチメディアコンテンツの記録再生を提供する。用語「再生」および「記録再生」は、ブロック１４１０の動作がストリーミングに対応するのに対し、ブロック１５２０の動作がダウンローディングに対応するこれらの実施形態を区別するために使用されることができることが理解される。しかしながら他の実施形態では同じ動作がブロック１５１０およびブロック１５２０において実行されても良く、第１の解像度を持つマルチメディアコンテンツあるいは第１の解像度より高い第２の解像度を持つマルチメディアコンテンツをそれぞれ再生する。
【００３９】
図１６は本発明の他の実施形態を説明し、ここではＤＲＭが使用され、第１の解像度を持つマルチメディアコンテンツおよび／または第２の解像度を持つマルチメディアコンテンツの受信および／または再生を管理する。従って図１６では、ブロック１４１０の動作は、ブロック１６１０において第１のＤＲＭが承認されると実行される。ＤＲＭが失敗すれば、これらの動作は行われない。さらにブロック１４２０の動作はブロック１６２０において第２のＤＲＭを承認すると実行される。ＤＲＭが失敗すれば、これらの動作は行われない。従って本発明の実施形態は、マルチメディアコンテンツの送信および／または受信が、マルチメディアコンテンツの低解像度および高解像度バージョンに対して相違して管理されることを許容することができる。変化する送信チャネルの帯域幅、品質に対するユーザの支払い希望、および／またはＤＲＭ方式はその際受け入れられることができる。
【００４０】
図１７は本発明の種々の実施形態によるマルチメディアサーバにより実行される処理のフローチャートである。マルチメディアサーバは、図１、図２、図５、図７、図８および／または図９に関して記述されたシステムおよび／または方法を使用して実施されることができ、１または複数のサーバコンピュータにおいて実施されることができる。図１７に示されるように、ブロック１７１０においてマルチメディアの顧客から低解像度マルチメディアコンテンツに対する支払いを受領すると、第１の解像度を持つマルチメディアデータが顧客に送信される（ブロック１０１０）。幾つかの実施形態では、低解像度マルチメディアコンテンツに対する支払いは受領の必要がないことが理解される。ブロック１７２０において高解像度マルチメディアコンテンツに対する支払いを受領すると、次いでブロック１０２０において補助データが送信される。ブロック１７１０およびブロック１７２０は図１７に示される順序外で実行されることができ、および／または時間において部分的に重複することがありうることが理解される。さらに幾つかの実施形態では、マルチメディアサーバは、ストリーミングサーバおよびダウンロードサーバを含むことができる。
【００４１】
図１８は本発明の種々の実施形態によるマルチメディアの顧客により実行される処理のフローチャートである。マルチメディアの顧客は、図３、図４、図６、図７、図８および／または図９に関して記述されたシステムおよび／または方法を使用して実施されることができる。さらにマルチメディアの顧客は、１または複数のユーザデバイスにおいて実施されることができる。図１８に示されるようにブロック１８１０において低解像度コンテンツが望まれると、支払いは場合によってブロック１８２０において行われることができ、第１の解像度を持つマルチメディアデータがブロック１４１０において受信される。場合によってブロック１５１０で、低解像度マルチメディアコンテンツが再生される。幾つかの実施形態では、低解像度マルチメディアコンテンツの受信に支払いは行われる必要はないことが理解される。
【００４２】
さらに図１８を参照すると、ブロック１８３０で高解像度コンテンツが望まれると、その場合支払いはブロック１８４０で行われる。ブロック１４２０で補助データが受信され、ブロック１４３０で組み合わされ、既に説明したように記録再生がブロック１４４０で行われる。ブロック１８１０およびブロック１８３０の動作は図１８に示されるシーケンス外で実行されることができ、時間において部分的に重複することがありうる、ということが理解される。図１０から図１８のフローチャートの結合およびサブ結合が、また特許請求の範囲により定義されるように本発明の種々の実施形態により用意されることは、当業者により理解されるであろう。
【００４３】
次いで、本発明の実施形態について追加して検討が行われる。汎用パケット無線サービス（Ｇｅｎｅｒａｌｉｚｅｄ  Ｐａｃｋｅｔ  Ｒａｄｉｏ  Ｓｅｒｖｉｃｅ、ＧＰＲＳ）などの広域無線データインフラストラクチャの展開により、移動端末を含む無線デバイスへのマルチメディアのストリーム化の可能性が認められる。このタイプのアプリケーションに伴う潜在する問題は、これらデータネットワークの容量が制限されるかもしれないことである。例えばＧＰＲＳを介してオーディオストリーミングを広範囲に使用すると利用可能なＧＰＲＳの容量をたちまち使い果たす恐れがある。時間の経過と共にこの状況は改善されるだろうが、無線データネットワーク運用会社は、無線帯域幅の本質的限界と無線通信の電力制限のため今日の有線インターネットに現在見られる容量が過剰と見ることはできない。
【００４４】
これら潜在する制限にもかかわらず、無線ネットワークを介するマルチメディア配信の商用試行が行われる可能性がある。帯域幅の潜在する限界に対する１つの対策は、有線ネットワークにおいてストリーム化オーディオ（例えばリアルオーディオ）についてなされたように、配信音楽の品質を単に下げることである。この対策は、コンテンツのデータサイズを削減することができ、オーディオ品質もまた下げることになる。録音音楽をデータストリームに効果的に変換する種々の符号化方式（ＭＰ３、ＡＴＲＡＣ３）が存在する。十分に早いデータレート（例えばＭＰ３に対して約１２８ｋｂｐｓ）では、デコードされたオーディオは高品質の元録音と実際には区別ができない可能性がある。データレートは削減されることができるが、一般にはオーディオ品質の相当する劣化を伴う。幾つかの進んだ符号化方式が融合を続け（例えばＭＰ３Ｐｒｏ、ＡＴＲＡＣ５）、さらにデータストリームサイズを削減することができるが、データサイズを大きく減じるとデコードされたオーディオの品質を下げる恐れがある。
【００４５】
無線ネットワークを介して記録マルチメディアコンテンツを供給するには現在幾つかの手法がある。１つの手法はストリーミングによるものであり、マルチメディアコンテンツを表すディジタルデータはリアルタイムに近く供給される。この手法では、無線接続の平均データスループットは一般に、マルチメディアコンテンツの符号化データレイトに少なくとも等しい。例えば音楽の符号化が、音楽の秒当り６４ｋｂｉｔｓのデータになれば、その場合ユーザの無線データ接続は、少なくとも６４ｋｂｉｔｓの平均スループットを有することを必要とする可能性がある。少なくとも接続のスループット容量が供給されるデータストリームよりそれほど大きくなければ、ストリーミングはまたネットワークには大きな量の遅延の変動はない、即ち所与の時間における瞬時のスループットは大きく平均以下になることはないとすることができる。
【００４６】
代表的なストリーミングアプリケーションは、データチャネルのスループット容量内で十分に適合することができるように、ストリーム化コンテンツのデータサイズ（従ってデコードされたコンテンツの感じられる品質）を削減することにより、および／または変動する遅延の影響を緩和するためにストリームをバッファすることにより、これらの仮定に対処することができる。バッファリングは、マルチメディアコンテンツ信号のデコードと生成の前に、データストリームの開始とデータのある部分のメモリへの格納を含むことができる。代表的なストリーミングアプリケーションは、リアルタイムに近い記録再生を開始する前に、コンテンツを５分間バッファする。このように、入力データストリームは変動するレートで到着するにもかかわらず、デコーダはデコードされたマルチメディアコンテンツを固定レートで供給することができる。この変動が大きすぎない限り、ユーザはデコードされたオーディオにおける本質的な妨害は体験しないはずであり、リアルタイムに近い録音再生が達成される。
【００４７】
無線ネットワークを介してマルチメディアコンテンツを配信する他の手法には、ダウンロード手法がある。この場合、符号化マルチメディアコンテンツは、ネットワークが許す限り早くエンドユーザデバイスにダウンロードされる。符号化マルチメディアコンテンツはファイルとして格納され、デコードされ、ダウンロードが完了した後にのみユーザに対して再生される。符号化データストリームレートが無線データ接続の利用可能な容量を超える場合、これは唯一実際的手法である。特にこの場合ユーザは、ストリーミングアプリケーションで使用されるより多いデータを使用する可能性のある、高品質符号化フォーマットを望む可能性があるので、後のアクセスのために個人ライブラリに格納するためにユーザにマルチメディアコンテンツを供給する場合、これはまた望ましい手法である可能性がある。ストリーミングの場合、データは代表的にはリアルタイムに近い記録再生にのみ使用され、一般的には保存されない。
【００４８】
ダウンロード手法に伴う１つの潜在する問題は、ユーザに「瞬間的な満足」を与えないことがあるというものである。ユーザは一般にダウンロードが完了するまで待つ。このプロセスは、帯域幅に制限のあるデータ接続では一曲に数分かかる。対照的に本発明の幾つかの実施形態では、両技術が組み合わされる利点を認めている。例えばある実施形態では、ユーザは、完全な忠実度よりは劣るがオーディオコンテンツのストリーム化バージョンをすぐに聞くことができ、次いで繰り返して録音再生するためにはより高品質のバージョンを全て再送する必要はなく、同じコンテンツのより高品質のバージョンに後にアクセスする。
【００４９】
本発明の幾つかの実施形態では、より高解像度のバージョンを生成するために、メディア符号化あるいは圧縮アルゴリズムを使用し、元のマルチメディアコンテンツの比較的低解像度（総データに関してはより少ないことがある）のバージョンに補助データの増加を許容する。１つの実施例はＭＰ３Ｐｒｏである。改善された解像度はＭＰ３Ｐｒｏデータストリームにおける補助データにより供給され、補助データはＭＰ３Ｐｒｏデータストリームを受信するＭＰ３のみのデコーダでは無視されることができるので、ＭＰ３ＰｒｏファイルはＭＰ３デコーダと本来後方適合性がある。対照的に、ＭＰ３Ｐｒｏ再生器は、ＭＰ３Ｐｒｏデータストリームの補助データを使用し、改善された音質を供給する。
【００５０】
ＭＰ３の例では、解像度と品質の本質的改善は、比較的少ない付加データにより得られる。ｍｐ３ｌｉｃｅｎｓｉｎｇ．ｃｏｍのトムソン（Ｔｈｏｍｓｏｎ）ウエブサイトによれば、６４ｋｂｐｓで符号化されたＭＰ３Ｐｒｏファイルは、オーディオの品質では１００ｋｂｐｓより高速で符号化された従来のＭＰ３と同等である。同時に、かなり劣化した品質ではあるが、その６４ｋｂｐｓＭＰ３Ｐｒｏファイルは、従来のＭＰ３デコーダによりデコードすることができる。正確な数値は容易に利用できないが、６４ｋｂｐｓＭＰ３Ｐｒｏファイルは５６ｋｂｐｓＭＰ３ファイルを含み、残りの８ｋｂｐｓはＭＰ３Ｐｒｏデコーダにより使用され、解像度を改善し、それにより音質を改善するものと思われる。
【００５１】
この一般的特性を持つ符号化方式の他の実施例が存在し、既存の圧縮アルゴリズムを適合する、および／または開発されることができる。これらの符号化方式は少なくとも２つの異なる解像度を供給する。例えば、少なくとも２つの異なる符号化レート（即ち圧縮比）はいくつかの実施形態では、高品質記録再生を生成するより高いレート（低圧縮）により供給されることができる。さらに高品質ファイルは、低品質ファイルを補助データと組み合わせることにより生成される。ＭＰ３Ｐｒｏの場合のように、組み合わせは、付加データ（適当なデータフォーマット）を追加して行うことができる、若しくはさらに高度なプロセスを使用することができる。
【００５２】
幾つかの実施形態では、低品質ファイルを高品質バージョンに変換する為の付加データ量は、最終高品質バージョンに含まれるデータ総量より少ない（それもかなり少ない可能性がある）。以上のＭＰ３Ｐｒｏの実施例では、これは明らかに真実である：元の５６ｋｂｐｓファイルに追加される付加８ｋｂｐｓは、最終的な６４ｋｂｐｓよりかなり少ない。
【００５３】
本発明の幾つかの実施形態によれば、ディジタルメディア送信機は２つの独立の組（ファイルまたはデータストリーム）の出力を送信し、第１の出力は比較的低あるいは中位の品質の出力を生成するためにデコードされることができ、第２の出力は高品質出力を生成するために第１の出力と組み合わされることができる。本発明の幾つかの実施形態によれば、サーバは第１の出力をネットワークに接続されたユーザデバイスにストリーミングするあるいはダウンロードする。幾つかの実施形態では、ユーザデバイスは受信した第１の出力を格納する為のメモリ、および出力信号を生成するために第１の出力をデコード可能なデコーダを含む。幾つかの実施形態では、ネットワーク化されたユーザデバイスはさらに、第１の出力を供給したのと同じサーバであることができるサーバから第２の出力を受信することができ、第１および第２の出力を組み合わせ、デコードし、第１の出力のみがデコードされる場合より高い解像度の出力信号を生成することが可能なデコーダを有する。
【００５４】
本発明の幾つかの実施形態は、ネットワークの帯域幅に適する低から中位品質の符号化レートに基づくストリーミングサービスを供給することができる。ストリーム化データは、リアルタイムに近い体験をするために直ちにデコードされることができ、同時に（あるいは代わりに）ユーザデバイスのメモリに格納されることができる。幾つかの実施形態ではある他の時間に、付加データがデバイスにダウンロードされることができ、元メディアのより高品質バージョンを利用可能にする。付加データは元データと同じサーバから、および／または代わりのソースから受信されることができる。幾つかの実施形態では、ネットワーク容量が利用可能な場合、付加データは配信されることができ、ユーザには見えないように配信されることができる。幾つかの実施形態では、適するハードウエアおよび／またはソフトウエアにより、付加データは幾つかの部分に分けて配信されることができ、従ってネットワーク運用会社がネットワーク容量の制限に従って配信を管理することを許容する。
【００５５】
本発明の幾つかの実施形態は、消費者にマルチメディアコンテンツを配信する種々のビジネスモデルを可能にする、ディジタル権利管理方式を供給することができる。例えば、消費者はサービスプロバイダから音楽ファイルを「買う」ことができる。本発明の幾つかの実施形態では、（例えば）中位品質バージョンの音楽ファイルは無線接続を介して「直ちに」手に入れることができる。ネットワーク容量が許せば、（一般消費者が要求することのできる）より高品質バージョンの音楽ファイルが後に生成される。
【００５６】
上に示したＭＰ３Ｐｒｏの例では、最終の６４ｋｂｐｓバージョンに対して５６ｋｂｐｓファイルの配信から得られるネットワーク帯域幅の節減は最小限度にすぎない可能性がある。他の方式では、潜在する帯域幅節減はより大きい可能性がある。例えば１２８ｋｂｐｓＭＰ３はＣＤの透明な品質と見られることができ、高品質オーディオシステムにおける録音再生に適する可能性がある。しかしながら６４ｋｂｐｓＭＰ３（おおよそＦＭラジオの品質）は、特にポータブルデバイスにおける初めてのユーザの録音再生に極めて適する可能性がある。６４ｋｂｐｓの等級に後に何かを追加することにより、６４ｋｂｐｓバージョンから１２８ｋｂｐｓバージョンが生成されることができると想定すると、帯域幅に限界のあるネットワークにおいて一部のデータ送信を遅らせることには潜在的利点が存在しうる。
【００５７】
本明細書において使用されるように、用語「デコーダ」は、符号化メディアファイルの出力信号への変換に制限されず、ファイル管理、本明細書に記した２つの組のデータを組み合わせる能力、格納されたファイルのストリーミングおよび／または記録再生の管理能力、などを含むことができる。また本明細書において使用されるように、用語「サーバ」は固定位置においてネットワークに接続されるパーソナルコンピュータあるいは類似のデバイスに制限されない。本明細書に記した再生デバイスはまた「サーバ」機能を備えられることができ、本明細書に記したファイル配信の分散あるいはピアツーピアトポロジーを許容する。
【００５８】
図面と明細書において、本発明の実施形態が開示され、特定の用語が使用されるが、これら用語は一般的および説明の意味でのみ使用され、制限の目的ではなく、本発明の範囲は添付の特許請求の範囲により示される。
【図面の簡単な説明】
【００５９】
【図１】本発明の種々の実施形態によるマルチメディアの配信および／または再生の方法および／またはシステムのブロック図である。
【図２】本発明の種々の実施形態によるマルチメディアの配信および／または再生の方法および／またはシステムのブロック図である。
【図３】本発明の種々の実施形態によるマルチメディアの配信および／または再生の方法および／またはシステムのブロック図である。
【図４】本発明の種々の実施形態によるマルチメディアの配信および／または再生の方法および／またはシステムのブロック図である。
【図５】本発明の種々の実施形態によるマルチメディアの配信および／または再生の方法および／またはシステムのブロック図である。
【図６】本発明の種々の実施形態によるマルチメディアの配信および／または再生の方法および／またはシステムのブロック図である。
【図７】本発明の種々の実施形態によるマルチメディアの配信および／または再生の方法および／またはシステムのブロック図である。
【図８】本発明の種々の実施形態によるマルチメディアの配信および／または再生の方法および／またはシステムのブロック図である。
【図９】本発明の種々の実施形態によるマルチメディアの配信および／または再生の方法および／またはシステムのブロック図である。
【図１０】本発明の種々の実施形態によるマルチメディアコンテンツの配信および／または再生のために実行される動作のフローチャートである。
【図１１】本発明の種々の実施形態によるマルチメディアコンテンツの配信および／または再生のために実行されることのできる動作のフローチャートである。
【図１２】本発明の種々の実施形態によるマルチメディアコンテンツの配信および／または再生のために実行されることのできる動作のフローチャートである。
【図１３】本発明の種々の実施形態によるマルチメディアコンテンツの配信および／または再生のために実行されることのできる動作のフローチャートである。
【図１４】本発明の種々の実施形態によるマルチメディアコンテンツの配信および／または再生のために実行されることのできる動作のフローチャートである。
【図１５】本発明の種々の実施形態によるマルチメディアコンテンツの配信および／または再生のために実行されることのできる動作のフローチャートである。
【図１６】本発明の種々の実施形態によるマルチメディアコンテンツの配信および／または再生のために実行されることのできる動作のフローチャートである。
【図１７】本発明の種々の実施形態によるマルチメディアコンテンツの配信および／または再生のために実行されることのできる動作のフローチャートである。
【図１８】本発明の種々の実施形態によるマルチメディアコンテンツの配信および／または再生のために実行されることのできる動作のフローチャートである。
【図１】
2007528149.tif 000003
【図２】
2007528149.tif 000004
【図３】
2007528149.tif 000005
【図４】
2007528149.tif 000006
【図５】
2007528149.tif 000007
【図６】
2007528149.tif 000008
【図７】
2007528149.tif 000009
【図８】
2007528149.tif 000010
【図９】
2007528149.tif 000011
【図１０】
2007528149.tif 000012
【図１１】
2007528149.tif 000013
【図１２】
2007528149.tif 000014
【図１３】
2007528149.tif 000015
【図１４】
2007528149.tif 000016
【図１５】
2007528149.tif 000017
【図１６】
2007528149.tif 000018
【図１７】
2007528149.tif 000019
【図１８】
2007528149.tif 000020
【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
マルチメディア配信方法であって、
第１の支払いに従う第１の解像度を持つマルチメディアデータの送信を行い、
第１の解像度を持つ前記マルチメディアデータと組み合わされることで、第２の支払いに従う、前記第１の解像度より高い第２の解像度のマルチメディアコンテンツを供給する補助データ、を別個に送信する
ことを特徴とするマルチメディア配信方法。
【請求項２】
請求項１に記載の方法であって、
マルチメディアデータの送信および補助データの別個の送信が、送信時間、スペース、チャネル、および／またはメディアにおいて少なくとも部分的に分離されていることを特徴とする方法。
【請求項３】
請求項１に記載の方法であって、
マルチメディアデータの送信が、第１の解像度を持つマルチメディアデータのストリーミングを含み、
別個の補助データの送信が、補助データのダウンローディングを含み、前記補助データは、第１の解像度を持つ前記マルチメディアデータと組み合わされると、前記第１の解像度より高い第２の解像度の前記マルチメディアコンテンツを供給する、ことを特徴とする方法。
【請求項４】
請求項１に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数および／または前記第１のコーディングレートより高い第２のコーディングレイトをそれぞれ含むことを特徴とする方法。
【請求項５】
請求項１に記載の方法であって、前記補助データが第１のサイズを有し、前記第２の解像度の前記マルチメディアコンテンツが前記第１のサイズより大きい第２のサイズを有することを特徴とする方法。
【請求項６】
請求項１に記載の方法であって、
マルチメディアデータの送信が第１のディジタル権利管理方式に従い、補助データの別個の送信が前記第１のディジタル権利管理方式とは異なる第２のディジタル権利管理方式に従うことを特徴とする方法。
【請求項７】
請求項１に記載の方法であって、
前記第２の支払いが、前記第１の支払いよりも多いことを特徴とする方法。
【請求項８】
請求項１に記載の方法であって、
マルチメディアデータの送信がリアルあるいはリアルタイムに近く行われ、
補助データの別個の送信がリアルあるいはリアルタイムに近くでは行われないことを特徴とする方法。
【請求項９】
請求項１に記載の方法であって、
マルチメディアデータの送信が第１のマルチメディアサーバから行われ、
補助データの別個の送信が前記第１のマルチメディアサーバとは異なる第２のマルチメディアサーバから行われることを特徴とする方法。
【請求項１０】
請求項１に記載の方法であって、
マルチメディアデータの送信が無線ネットワークを使用して行われ、
補助データの別個の送信が有線ネットワークを使用して行われることを特徴とする方法。
【請求項１１】
マルチメディア作品の送信方法であって、
第１の支払いに従う前記マルチメディア作品の第１の部分のストリーミングし、
前記第１および第２の部分が共に前記マルチメディア作品を含み、第２の支払いに従う前記マルチメディア作品の前記第２の部分のダウンローディングを行う
ことを特徴とする方法。
【請求項１２】
請求項１１に記載の方法であって、
ストリーミングが第１の解像度のマルチメディアデータのストリーミングを含み、
ダウンローディングが補助データのダウンローディングを含み、前記補助データは、第１の解像度の前記マルチメディアデータと組み合わされると、前記第１の解像度より高い第２の解像度の前記マルチメディア作品を供給することを特徴とする方法。
【請求項１３】
請求項１１に記載の方法であって、ストリーミングとダウンローディングが送信時間、スペース、チャネルおよび／またはメディアにおいて少なくとも部分的に分離されていることを特徴とする方法。
【請求項１４】
請求項１２に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数、第１のチャネル数、および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とする方法。
【請求項１５】
請求項１１に記載の方法であって、
ストリーミングが第１のディジタル権利管理方式に従い、ダウンローディングが前記第１のディジタル権利管理方式とは異なる第２のディジタル権利管理方式に従うことを特徴とする方法。
【請求項１６】
請求項１１に記載の方法であって、
前記第２の支払いが、前記第１の支払いよりも多いことを特徴とする方法。
【請求項１７】
請求項１１に記載の方法であって、
ストリーミングが第１のマルチメディアサーバから行われ、ダウンローディングが前記第１のマルチメディアサーバとは異なる第２のマルチメディアサーバから行われることを特徴とする方法。
【請求項１８】
請求項１１に記載の方法であって、
ストリーミングが無線ネットワークを使用して行われ、
ダウンローディングが有線ネットワークを使用して行われることを特徴とする方法。
【請求項１９】
マルチメディア再生方法であって、
第１の解像度を持つマルチメディアデータを受信し、
第１の解像度を持つ前記マルチメディアデータと組み合わせると前記第１の解像度より高い第２の解像度のマルチメディアコンテンツを提供する補助データを別個に受信し、
第１の解像度を持つ前記マルチメディアデータと前記補助データとを組み合わせて、前記第１の解像度より高い第２の解像度の前記マルチメディアコンテンツを提供し、
ディジタル権利管理方式に従う、前記第１の解像度より高い第２の解像度の前記マルチメディアコンテンツを再生する
ことを特徴とするマルチメディア再生方法。
【請求項２０】
請求項１９に記載の方法であって、
更に、前記第１の解像度の前記マルチメディアデータを再生することを特徴とする方法。
【請求項２１】
請求項２０に記載の方法であって、
前記第１の解像度の前記マルチメディアデータの再生が、前記第１の解像度より高い前記第２の解像度の前記マルチメディアコンテンツの再生に先立って行われることを特徴とする方法。
【請求項２２】
請求項１９に記載の方法であって、
受信、別個の受信、組み合わせ、および再生が、単一のユーザデバイスにおいて行われることを特徴とする方法。
【請求項２３】
請求項１９に記載の方法であって、
マルチメディアデータの受信、補助データの別個の受信が、受信時間、発生スペース、受信チャネルおよび／または受信メディアにおいて少なくとも部分的に分離されていることを特徴とする方法。
【請求項２４】
請求項１９に記載の方法であって、
マルチメディアデータの受信が、第１の解像度を持つマルチメディアデータのストリーミングとバッファリングとを含み、
補助データの別個の受信が補助データのダウンローディングを含み、前記補助データは、第１の解像度を持つ前記マルチメディアデータと組み合わされると前記第１の解像度より高い第２の解像度の前記マルチメディアコンテンツを供給することを特徴とする方法。
【請求項２５】
請求項１９に記載の方法であって、
前記第１の解像度が第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、および／または前記第１のコーディングレートより高い第２のコーディングレートをそれぞれ含むことを特徴とする方法。
【請求項２６】
請求項１９に記載の方法であって、
前記補助データが第１のサイズを有し、前記第２の解像度の前記マルチメディアコンテンツが前記第１のサイズより大きい第２のサイズを有することを特徴とする方法。
【請求項２７】
請求項２０に記載の方法であって、
前記第１の解像度における前記マルチメディアデータの再生が、第１のディジタル権利管理方式に従い、
前記第２の解像度における前記マルチメディアデータの再生が、前記第１のディジタル権利管理方式とは異なる第２のディジタル権利管理方式に従うことを特徴とする方法。
【請求項２８】
請求項１９に記載の方法であって、
前記第１の解像度における前記マルチメディアデータ再生が、第１の支払いに従い、第２の解像度における前記マルチメディアデータ再生が、第２の支払いに従うことを特徴とする方法。
【請求項２９】
請求項１９に記載の方法であって、
マルチメディアデータの受信がリアルあるいはリアルタイムに近く行われ、補助データの別個の受信がリアルあるいはリアルタイムに近くでは行われないことを特徴とする方法。
【請求項３０】
請求項１９に記載の方法であって、
マルチメディアデータの受信が無線ネットワークを使用して行われ、
補助データの別個の受信が有線ネットワークを使用して行われることを特徴とする方法。
【請求項３１】
マルチメディア作品の再生方法であって、
前記マルチメディア作品の第１の部分をストリーミング、若しくはバッファリングし、
前記マルチメディア作品の第２の部分をダウンローディングし、
前記マルチメディア作品の前記第１および第２の部分を組み合わせて、前記マルチメディア作品を生成し、
生成される前記マルチメディア作品を再生する
ことを特徴とする再生方法。
【請求項３２】
請求項３１に記載の方法であって、
ストリーミングが、第１の解像度の前記マルチメディア作品のストリーミング、若しくはバッファリングを含み、
ダウンローディングが、補助データのダウンローディングを含み、前記補助データは、第１の解像度の前記マルチメディア作品と組み合わされると、前記第１の解像度より高い第２の解像度の前記マルチメディア作品を供給し、
前記組み合わせが、第１の解像度の前記マルチメディア作品と前記補助データを組み合わせて前記第２の解像度の前記マルチメディア作品を生成することを含み、
再生が、前記ディジタル権利管理方式に従う、前記第２の解像度の前記マルチメディア作品の再生を含むことを特徴とする方法。
【請求項３３】
請求項３２に記載の方法であって、
更に、前記第１の解像度の前記マルチメディア作品を再生することを特徴とする方法。
【請求項３４】
請求項３３に記載の方法であって、
前記第１の解像度の前記マルチメディア作品の再生が、前記第１の解像度より高い前記第２の解像度の前記マルチメディア作品の再生に先立って行われることを特徴とする方法。
【請求項３５】
請求項３１に記載の方法であって、
ストリーミング、バッファリング、ダウンローディング、組み合わせ、および再生が、単一のユーザデバイスにおいて行われることを特徴とする方法。
【請求項３６】
請求項３１に記載の方法であって、
ストリーミング、バッファリング、ダウンローディングが、受信時間、発生スペース、受信チャネル、および／または受信メディアにおいて少なくとも部分的に分離されていることを特徴とする方法。
【請求項３７】
請求項３２に記載の方法であって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、第１のチャネル数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とする方法。
【請求項３８】
請求項３３に記載の方法であって、
前記第１の解像度における前記マルチメディアデータの再生が、第１のディジタル権利管理方式に従い、
前記第２の解像度における前記マルチメディアデータの再生が、前記第１のディジタル権利管理方式とは異なる第２のディジタル権利管理方式に従うことを特徴とする方法。
【請求項３９】
請求項３１に記載の方法であって、
ダウンローディングが、前記第１の部分に対して行われる支払いより多い前記第２の部分に対する支払いの実行により先行されることを特徴とする方法。
【請求項４０】
請求項３１に記載の方法であって、
ストリーミングが無線ネットワークを使用して行われ、
ダウンローディングが有線ネットワークを使用して行われることを特徴とする方法。
【請求項４１】
マルチメディア配信システムであって、
入力マルチメディアコンテンツに応答し、第１の解像度で前記入力マルチメディアコンテンツを符号化し、補助データを生成するように構成されているエンコーダであって、前記補助データは、第１の解像度で符号化される前記入力マルチメディアコンテンツと組み合わされると、前記第１の解像度より高い第２の解像度で符号化される前記入力マルチメディアコンテンツを供給するエンコーダと、
前記エンコーダに応答し、第１の支払いに従う第１の解像度で符号化される前記入力マルチメディアコンテンツと、第２の支払いに従う前記補助データと、を別個に送信するように構成されている送信機と
を備えることを特徴とするシステム。
【請求項４２】
請求項４１に記載のシステムであって、
前記送信機が、第１の解像度で符号化される前記入力マルチメディアコンテンツと、送信時間、スペース、チャネルおよび／またはメディアにおいて少なくとも部分的に分離されている前記補助データと、を別個に送信するように構成されていることを特徴とするシステム。
【請求項４３】
請求項４１に記載のシステムであって、
前記送信機が、第１の解像度で符号化される前記入力マルチメディアコンテンツをストリーミングし、前記補助データをダウンロードするようにさらに構成されていることを特徴とするシステム。
【請求項４４】
請求項４１に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数、および／または前記第１のコーディングレートより高い第２のコーディングレートをそれぞれ含むことを特徴とするシステム。
【請求項４５】
請求項４１に記載のシステムであって、
前記送信機が、第１のディジタル権利管理方式に従う、第１の解像度で符号化される前記入力マルチメディアコンテンツを送信し、前記第１のディジタル権利管理方式とは異なる第２のディジタル権利管理方式に従う前記補助データを別個に送信するように構成されていることを特徴とするシステム。
【請求項４６】
請求項４１に記載のシステムであって、
前記第２の支払いが、前記第１の支払いよりも多いことを特徴とするシステム。
【請求項４７】
請求項４１に記載のシステムであって、
前記送信機が、第１の解像度で符号化される前記入力マルチメディアコンテンツをリアルあるいはリアルタイムに近く送信し、前記補助データをリアルあるいはリアルタイムに近く以外で、別個に送信するように構成されていることを特徴とするシステム。
【請求項４８】
請求項４１に記載のシステムであって、
前記送信機が、
第１の解像度で符号化される前記入力マルチメディアコンテンツを送信するように構成されている第１のマルチメディアサーバと、
前記補助データを送信するように構成されている第２のマルチメディアサーバと
を備えることを特徴とするシステム。
【請求項４９】
マルチメディア作品を送信するシステムであって、
第１の支払いに従う前記マルチメディア作品の第１の部分を送信するように構成されているストリーミングサーバと、
第２の支払いに従う前記マルチメディア作品の第２の部分を送信するように構成されているダウンロードサーバであって、前記第１および第２の部分が前記マルチメディア作品を共に含む、ダウンロードサーバと
を備えることを特徴とするシステム。
【請求項５０】
請求項４９に記載のシステムであって、
前記ストリーミングサーバが、第１の解像度のマルチメディアデータをストリームするように構成されており、
前記ダウンロードサーバが、補助データをダウンロードするように構成されており、前記補助データは、第１の解像度の前記マルチメディアデータと組み合わされると、前記第１の解像度より高い第２の解像度の前記マルチメディア作品を供給することを特徴とするシステム。
【請求項５１】
請求項４９に記載のシステムであって、
前記ストリーミングサーバが、第１のディジタル権利管理方式に従う、前記マルチメディア作品の前記第１の部分を送信するように構成されており、
前記ダウンロードサーバが、前記第１のディジタル権利管理方式とは異なる第２のディジタル権利管理方式に従う、前記マルチメディア作品の前記第２の部分を送信するように構成されていることを特徴とするシステム。
【請求項５２】
請求項４９に記載のシステムであって、
前記第２の支払いが、前記第１の支払いよりも多いことを特徴とするシステム。
【請求項５３】
マルチメディア再生システムであって、
第１の解像度を持つマルチメディアデータを受信し、補助データを別個に受信するように構成されている受信機であって、前記補助データは、第１の解像度を持つ前記マルチメディアデータと組み合わされると、前記第１の解像度より高い第２の解像度のマルチメディアコンテンツを供給する受信機と、
第１の解像度を持つ前記マルチメディアデータと前記補助データを組み合わせて、前記第１の解像度より高い第２の解像度の前記マルチメディアコンテンツを供給するように構成されているプロセッサと、
ディジタル権利管理方式に従う、前記第１の解像度より高い第２の解像度の前記マルチメディアコンテンツを再生するように構成されているマルチメディアトランスデューサと
を備えることを特徴とするシステム。
【請求項５４】
請求項５３に記載のシステムであって、
前記マルチメディアトランスデューサが、第１の解像度を持つ前記マルチメディアデータを再生するようにさらに構成されていることを特徴とするシステム。
【請求項５５】
請求項５３に記載のシステムであって、
前記補助データが、受信時間、発生スペース、受信チャネルおよび／または受信メディアにおいて、第１の解像度を持つ前記マルチメディアデータから少なくとも部分的に分離されていることを特徴とするシステム。
【請求項５６】
請求項５３に記載のシステムであって、
前記受信機が、第１の解像度を持つ前記マルチメディアデータをストリーミング及びバッファし、前記補助データをダウンロードするようにさらに構成されていることを特徴とするシステム。
【請求項５７】
請求項５３に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレイト、前記第１のカラー数より多い第２のカラー数、および／または前記第１のコーディングレートより高い第２のコーディングレートをそれぞれ含むことを特徴とするシステム。
【請求項５８】
請求項５４に記載のシステムであって、
前記マルチメディアトランスデューサは、前記第１の解像度で第１のディジタル権利管理方式に従う前記マルチメディアデータを再生し、前記第２の解像度で前記第１のディジタル権利管理方式とは異なる第２のディジタル権利管理方式に従う前記補助データを再生するようにさらに構成されていることを特徴とするシステム。
【請求項５９】
請求項５４に記載のシステムであって、
前記マルチメディアトランスデューサは、前記第１の解像度で第１の支払いに従う前記マルチメディアデータを再生し、前記第２の解像度で第２の支払いに従う前記マルチメディアデータを再生するように構成されていることを特徴とするシステム。
【請求項６０】
マルチメディア作品の再生システムであって、
前記マルチメディア作品の第１の部分をストリーム及びバッファし、前記マルチメディア作品の第２の部分をダウンロードするように構成されている受信機と、
前記マルチメディア作品の前記第１と第２の部分を組み合わせて、前記マルチメディア作品を生成するように構成されているプロセッサと、
生成される前記マルチメディア作品を再生するように構成されているマルチメディアトランスデューサと
を備えることを特徴とするシステム。
【請求項６１】
請求項６０に記載のシステムであって、
前記受信機が、第１の解像度の前記マルチメディア作品をストリーム及びバッファし、補助データとして前記第２の部分をダウンロードするように構成されており、前記補助データは、前記第１の部分と組み合わされると、前記第１の解像度より高い第２の解像度の前記マルチメディア作品を供給し、
前記プロセッサが、第１の解像度の前記マルチメディア作品と前記補助データを組み合わせて、前記第２の解像度の前記マルチメディア作品を生成するように構成されており、
前記マルチメディアトランスデューサが、前記ディジタル権利管理方式に従った、前記第２の解像度の前記マルチメディア作品を再生するように構成されていることを特徴とするシステム。
【請求項６２】
請求項６１に記載のシステムであって、
前記マルチメディアトランスデューサが、前記第１の解像度の前記マルチメディア作品を再生するように構成されていることを特徴とするシステム。
【請求項６３】
請求項６２に記載のシステムであって、
前記マルチメディアトランスデューサが、前記第１の解像度より高い前記第２の解像度の前記マルチメディア作品の再生に先立って、前記第１の解像度の前記マルチメディア作品を再生するようにさらに構成されていることを特徴とするシステム。
【請求項６４】
請求項６０に記載のシステムであって、
前記マルチメディア作品の前記第１および第２の部分が、受信時間、発生スペース、受信チャネル、および／または受信メディアにおいて少なくとも部分的に分離されていることを特徴とするシステム。
【請求項６５】
請求項６１に記載のシステムであって、
前記第１の解像度が、第１のサンプリング周波数、第１の圧縮率、第１の周波数レンジ、第１の解像度ビット数、第１の歪レベル、第１のピクセル数、第１のフレームレート、第１のカラー数、第１のカラー数、および／または第１のコーディングレートを含み、
前記第２の解像度が、前記第１のサンプリング周波数より高い第２のサンプリング周波数、前記第１の圧縮率より低い第２の圧縮率、前記第１の周波数レンジより広い第２の周波数レンジ、前記第１の解像度ビット数より多い第２の解像度ビット数、前記第１の歪レベルより低い第２の歪レベル、前記第１のピクセル数より多い第２のピクセル数、前記第１のフレームレートより高い第２のフレームレート、前記第１のカラー数より多い第２のカラー数、前記第１のチャネル数より多い第２のチャネル数、および／または前記第１のコーディングレートより高い第２のコーディングレートをそれぞれ含むことを特徴とするシステム。
【請求項６６】
請求項６２に記載のシステムであって、
前記マルチメディアトランスデューサが、前記第１の解像度で第１のディジタル権利管理方式に従った前記マルチメディアデータを再生するように構成されており、
前記トランスデューサが、前記第２の解像度で前記第１のディジタル権利管理方式とは異なる第２のディジタル権利管理方式に従った前記マルチメディアコンテンツを再生するように構成されていることを特徴とするシステム。
【請求項６７】
請求項６０に記載のシステムであって、
前記マルチメディアトランスデューサが、前記第１の解像度で第１の支払いに従った前記マルチメディア作品を再生し、前記第２の解像度で第２の支払いに従った前記マルチメディア作品を再生するように構成されていることを特徴とするシステム。
【国際調査報告】
2007528149.tif 000021
2007528149.tif 000022
2007528149.tif 000023